(57)【要約】【課題】親水性コーティング剤の機能を利用して、宣伝広告等の表示を目的とした部材を作成する。【解決手段】基材１０に対し、親水性コーティング剤で文字、図形又は記号又はこれらの結合からなる表示対象１２を描くように塗布することによって、基材１０上に親水性を有する表示部分と親水性を有しない背景部分を作成し、その親水機能の有無により表示対象１２を浮かび上がらせる。特に防汚機能を有する親水性コーティング剤を用いることで、その防汚機能の差により表示対象１２を顕著に浮かび上がらせる。また、基材１０として撥水性を有する基材を用い、その親水・撥水効果の違いにより表示対象１２を顕著に浮かび上がらせる。【選択図】　　　　図１
2004109458.tif 000002
【特許請求の範囲】
【請求項１】
基材に対し、親水性コーティング剤で文字、図形又は記号又はこれらの結合からなる表示対象を描くように塗布することによって、基材上に親水性を有する表示部分と親水性を有しない背景部分を作成し、その親水機能の有無により水滴の付着しない表示対象を浮かび上がらせるようにしたことを特徴とする親水機能を利用した表示部材。
【請求項２】
表面が撥水性を有する基材に対し、親水性コーティング剤で文字、図形又は記号又はこれらの結合からなる表示対象を描くように塗布することによって、基材上に親水性を有する表示部分と逆に撥水性を有する背景部分を作成し、撥水性を有する背景部分に対して親水性を有する表示対象を水滴付着の有無により顕著に浮かび上がらせるようにしたことを特徴とする親水機能を利用した表示部材。
【請求項３】
親水性コーティング剤が防汚機能を有する親水性コーティング剤であり、基材上に汚れの付着しにくい表示部分を作成することによって、汚れの付着しやすい背景部分との防汚機能の差により表示対象を顕著に浮かび上がらせるようにした請求項１又は２記載の親水機能を利用した表示部材。
【請求項４】
基材に対して文字、図形又は記号又はこれらの結合からなる表示対象を描くに際し、基材の表示対象以外の部分に親水性コーティング剤を塗布することによって、基材上に親水性を有する背景部分と親水性を有しない表示部分を作成し、その親水機能の有無により水滴の付着しやすい表示対象を浮かび上がらせるようにしたことを特徴とする親水機能を利用した表示部材。
【請求項５】
撥水性材料で文字、図形又は記号又はこれらの結合からなる表示対象を描くように塗布することによって、基材上に親水性を有する背景部分と逆に撥水性を有する表示部分を作成し、親水性を有する背景部分に対して撥水性を有する表示対象を水滴付着の有無により顕著に浮かび上がらせるようにした請求項４記載の親水機能を利用した表示部材。
【請求項６】
親水性コーティング剤が防汚機能を有する親水性コーティング剤であり、基材上に汚れの付着しにくい背景部分を作成することによって、背景部分との防汚機能の差により表示対象を顕著に浮かび上がらせるようにした請求項４又は５記載の親水機能を利用した表示部材。
【請求項７】
表示対象が宣伝広告を目的とした文字、図形又は記号又はこれらの結合である請求項１〜６のいずれかに記載の親水機能を利用した表示部材。
【請求項８】
基材に対し、親水性コーティング剤で文字、図形又は記号又はこれらの結合からなる表示対象を描くように塗布して、基材上に親水性を有する表示部分と親水性を有しない背景部分を作成し、その親水機能の有無により水滴の付着しない表示対象を浮かび上がらせて表示を行わせる部材とすることを特徴とする親水機能を利用した表示部材の作成方法。
【請求項９】
表面が撥水性を有する基材に対し、親水性コーティング剤で文字、図形又は記号又はこれらの結合からなる表示対象を描くように塗布して、基材上に親水性を有する表示部分と逆に撥水性を有する背景部分を作成し、撥水性を有する背景部分に対して親水性を有する表示対象を水滴付着の有無により顕著に浮かび上がらせて表示を行わせる部材とすることを特徴とする親水機能を利用した表示部材の作成方法。
【請求項１０】
親水性コーティング剤として防汚機能を有する親水性コーティング剤を用い、基材上に汚れの付着しにくい表示部分を作成することで、汚れの付着しやすい背景部分との防汚機能の差により表示対象を顕著に浮かび上がらせる請求項８又は９記載の親水機能を利用した表示部材の作成方法。
【請求項１１】
基材に対して文字、図形又は記号又はこれらの結合からなる表示対象を描くに際し、基材の表示対象以外の部分に親水性コーティング剤を塗布して、基材上に親水性を有する背景部分と親水性を有しない表示部分を作成し、その親水機能の有無により水滴の付着しやすい表示対象を浮かび上がらせて表示を行わせる部材とすることを特徴とする親水機能を利用した表示部材の作成方法。
【請求項１２】
撥水性材料で文字、図形又は記号又はこれらの結合からなる表示対象を描くように塗布して、基材上に親水性を有する背景部分と逆に撥水性を有する表示部分を作成し、親水性を有する背景部分に対して撥水性を有する表示対象を水滴付着の有無により顕著に浮かび上がらせて表示を行わせる部材とする請求項１１記載の親水機能を利用した表示部材の作成方法。
【請求項１３】
親水性コーティング剤として防汚機能を有する親水性コーティング剤を用い、基材上に汚れの付着しにくい背景部分を作成することで、背景部分との防汚機能の差により表示対象を顕著に浮かび上がらせる請求項１１又は１２記載の親水機能を利用した表示部材の作成方法。
【発明の詳細な説明】
【０００１】
【発明の属する技術分野】
本発明は、例えば、基材上に親水性コーティング剤で文字や図形などの表示対象を描くように塗布することによって、基材上に親水機能を有する部分と有しない部分を作成し、その親水機能の有無により宣伝広告などの表示を行わせる表示部材及びその作成方法に関するものである。
【０００２】
【従来の技術】
従来から、基材上に光触媒などの親水性コーティング剤を塗布して、基材表面に親水性を付与し、濡れ性の向上による水滴付着防止、防曇性といった機能や、基材表面が汚れ難くなるという防汚機能などを発揮するようにした製品は、数多く存在している。
【０００３】
また、光触媒以外の親水性コーティング剤としては、アルコキシシラン等の加水分解性シラン化合物にスルホン酸基等の親水性官能基を導入した化合物を被膜形成成分とするコーティング液がある（例えば、特許文献１参照）。
【０００４】
【特許文献１】
特開２００２−６０６９２号公報
【０００５】
【発明が解決しようとする課題】
従来技術では、基材上に親水機能や撥水機能などを付与した部材は作成されていたが、その機能目的は主に防汚や耐候性といったものであり、その機能を利用して親水性コーティング剤で表示対象を描くことにより、宣伝広告などの表示手段とすることは、これまで行われていなかった。
【０００６】
本発明は上記の諸点に鑑みなされたもので、本発明の目的は、例えば、基材上に親水性コーティング剤で文字や図形などの表示対象を描くように塗布することによって、基材上に親水機能を有する部分と有しない部分を作成し、その親水機能の有無により宣伝広告などの表示を行わせる表示部材及びその作成方法を提供することにある。
【０００７】
【課題を解決するための手段】
上記の目的を達成するために、本発明の親水機能を利用した表示部材は、基材に対し、親水性コーティング剤で文字、図形又は記号又はこれらの結合からなる表示対象を描くように塗布することによって、基材上に親水性を有する表示部分と親水性を有しない背景部分を作成し、その親水機能の有無により水滴の付着しない表示対象を浮かび上がらせるように構成されている。
【０００８】
また、本発明の表示部材は、表面が撥水性を有する基材に対し、親水性コーティング剤で文字、図形又は記号又はこれらの結合からなる表示対象を描くように塗布することによって、基材上に親水性を有する表示部分と逆に撥水性を有する背景部分を作成し、撥水性を有する背景部分に対して親水性を有する表示対象を水滴付着の有無により顕著に浮かび上がらせるようにしたことを特徴としている。
【０００９】
上記の表示部材においては、特に防汚機能を有する親水性コーティング剤を用いて、基材上に汚れの付着しにくい表示部分を作成することで、汚れの付着しやすい背景部分との防汚機能の差により表示対象を顕著に浮かび上がらせることが可能である。
【００１０】
また、本発明の表示部材は、基材に対して文字、図形又は記号又はこれらの結合からなる表示対象を描くに際し、基材の表示対象以外の部分に親水性コーティング剤を塗布することによって、基材上に親水性を有する背景部分と親水性を有しない表示部分を作成し、その親水機能の有無により水滴の付着しやすい表示対象を浮かび上がらせるようにしたことを特徴としている。
【００１１】
上記の表示部材においては、撥水性材料で文字、図形又は記号又はこれらの結合からなる表示対象を描くように塗布することによって、基材上に親水性を有する背景部分と逆に撥水性を有する表示部分を作成し、親水性を有する背景部分に対して撥水性を有する表示対象を水滴付着の有無により顕著に浮かび上がらせるようにすることができる。
【００１２】
これらの表示部材においては、特に防汚機能を有する親水性コーティング剤を用いて、基材上に汚れの付着しにくい背景部分を作成することで、この背景部分との防汚機能の差により表示対象を顕著に浮かび上がらせることが可能である。また、表示対象は、一例として、宣伝広告を目的とした文字、図形又は記号又はこれらの結合とすることができる。
【００１３】
本発明の親水機能を利用した表示部材の作成方法は、基材に対し、親水性コーティング剤で文字、図形又は記号又はこれらの結合からなる表示対象を描くように塗布して、基材上に親水性を有する表示部分と親水性を有しない背景部分を作成し、その親水機能の有無により水滴の付着しない表示対象を浮かび上がらせて表示を行わせる部材とすることを特徴としている。
【００１４】
また、本発明の表示部材の作成方法は、表面が撥水性を有する基材に対し、親水性コーティング剤で文字、図形又は記号又はこれらの結合からなる表示対象を描くように塗布して、基材上に親水性を有する表示部分と逆に撥水性を有する背景部分を作成し、撥水性を有する背景部分に対して親水性を有する表示対象を水滴付着の有無により顕著に浮かび上がらせて表示を行わせる部材とすることを特徴としている。
【００１５】
上記の方法においては、親水性コーティング剤として防汚機能を有する親水性コーティング剤を用い、基材上に汚れの付着しにくい表示部分を作成することで、汚れの付着しやすい背景部分との防汚機能の差により表示対象を顕著に浮かび上がらせることが好ましい。
【００１６】
また、本発明の表示部材の作成方法は、基材に対して文字、図形又は記号又はこれらの結合からなる表示対象を描くに際し、基材の表示対象以外の部分に親水性コーティング剤を塗布して、基材上に親水性を有する背景部分と親水性を有しない表示部分を作成し、その親水機能の有無により水滴の付着しやすい表示対象を浮かび上がらせて表示を行わせる部材とすることを特徴としている。
【００１７】
上記の方法においては、撥水性材料で文字、図形又は記号又はこれらの結合からなる表示対象を描くように塗布して、基材上に親水性を有する背景部分と逆に撥水性を有する表示部分を作成し、親水性を有する背景部分に対して撥水性を有する表示対象を水滴付着の有無により顕著に浮かび上がらせて表示を行わせる部材とすることができる。
【００１８】
これらの方法においては、親水性コーティング剤として防汚機能を有する親水性コーティング剤を用い、基材上に汚れの付着しにくい背景部分を作成することで、この背景部分との防汚機能の差により表示対象を顕著に浮かび上がらせることが可能である。
【００１９】
【発明の実施の形態】
以下、本発明の実施の形態について説明するが、本発明は下記の実施の形態に何ら限定されるものではなく、適宜変更して実施することが可能なものである。例えば、図１に示すような宣伝広告部材を考えた場合、宣伝広告媒体となる基材１０上に、図及び文字等からなる宣伝広告を目的とした表示対象１２を描くように親水性コーティング剤を塗布する。
【００２０】
例えば、宣伝広告媒体となる基材１０としてガラスなどの透明基板を用い、この透明基板上に、宣伝広告を目的とした表示対象１２である図や文字（図１では、一例として、「川崎重工」の文字及びそのシンボルマーク）を親水性コーティング剤で描いた場合、雨などの水が付いていない状態では無色透明で何も見えない透明物であるが、雨などの水が付着すると、濡れ性のよい図や文字の表示対象１２の部分には水滴が付着せず、濡れ性の悪い背景部分の基材１０上には水滴が付着していくため、全体として宣伝広告部材の表面に付着する水滴の有無によって、宣伝広告を目的とした表示対象１２を浮かび上がらせることができる。なお、図１では、便宜上、表示対象１２を黒塗りとしている。なお、宣伝広告対象となる図や文字等を親水性塗料で塗布しても、同様の効果が得られる。
また、宣伝広告媒体となる基材１０としてアクリル板などの撥水性を有する透明基材を用いた場合は、背景となる撥水性部分に対して表示対象を描いた親水性部分が顕著に浮かび上がり、より一層、その親水性の有無によって水滴付着箇所がくっきりと見えるようになり、その効果は非常に大きくなる。
【００２１】
親水性コーティング剤、親水性塗料としては、一例として、カルボン酸基のような親水性官能基を有する化合物をアルコール又は高分子系有機溶媒（例えば、ポリビニルアルコール等）に溶解させたコーティング液、親水機能を有するジルコニウム酸化物を主成分とする分散液、酸化チタンを主成分とする光触媒を含有する親水機能を保有した液などを用いることができる。
また、親水性コーティング剤、親水性塗料のような液ではなく、表面処理により基材上を親水化させる方法もある。例えば、酸素プラズマ処理などによって、親水性の官能基を基材表面に導入することで、表面（表示部分）を親水化させることも可能である。
【００２２】
次に、例えば、宣伝広告媒体となる基材１０として塗装鋼板などを用い、この塗装鋼板上に、宣伝広告を目的とした表示対象１２である図や文字（図１では、一例として、「川崎重工」の文字及びそのシンボルマーク）を上述したような親水性コーティング剤（又は親水性塗料）で描いた場合について説明する。なお、上記のように、表面処理により基材上を親水化させてもよい。
表示対象１２である図や文字の部分のみに無色透明の親水性コーティング剤を塗布すると、この部材を汚れやすい屋外などで使用するにつれて、濡れ性のよい図や文字の表示対象１２の部分には雨筋汚れなどの汚れが付着しにくく、濡れ性の悪い背景部分の基材１０上にはそのような汚れが付着していくため、汚れの付着度合の差により、基材１０上に宣伝広告を目的とした表示対象１２を浮かび上がらせることができる。もちろん、水滴付着の有無によっても表示対象１２を浮かび上がらせることができる。
また、宣伝広告媒体となる基材１０として、塗装鋼板等の基材に撥水性のフッ素系塗料などを塗布したものを用いた場合は、撥水性の背景部分が特に汚れやすくなるため、その汚れ付着度合の違いがより一層明白になり、撥水性の背景部分に対して表示対象を描いた親水性部分が顕著に浮かび上がり、その効果は非常に大きくなる。
【００２３】
以上説明した方法においては、親水性コーティング剤（又は親水性塗料）を使用する箇所、又は酸素プラズマ処理などにより親水性官能基を導入する箇所を、表示対象１２である図や文字ではなく、逆に背景部分となる基材１０としても、水滴付着箇所や汚れ付着度合が表示対象１２と基材１０とで逆になるだけで、表示手段としては同様の効果が得られる。
【００２４】
例えば、図２において、宣伝広告媒体となる基材１０に対し、図及び文字等からなる宣伝広告を目的とした表示対象１２を描くに際し、基材１０上の表示対象１２以外の部分、すなわち、背景部分１４に親水性コーティング剤を塗布する。一例として、宣伝広告媒体となる基材１０としてガラスなどの透明基板を用い、この透明基板上に、宣伝広告を目的とした表示対象１２である図や文字（図２では、一例として、「川崎重工」の文字及びそのシンボルマーク）を描く場合、上述したような親水性コーティング剤を表示対象１２以外の背景部分１４に塗布する。この場合、雨などの水が付いていない状態では無色透明で何も見えない透明物であるが、雨などの水が付着すると、濡れ性のよい背景部分１４には水滴が付着せず、濡れ性の悪い図や文字の表示対象１２の部分には水滴が付着していくため、全体として宣伝広告部材の表面に付着する水滴の有無によって、宣伝広告を目的とした表示対象１２を浮かび上がらせることができる。なお、図２では、便宜上、表示対象１２を黒塗りとしている。なお、背景部分１４に上述したような親水性塗料を塗布しても、同様の効果が得られる。また、上述のように、表面処理により基材上を親水化させてもよい。
【００２５】
また、表示対象１２である図や文字等を撥水性コーティング剤で描くように塗布すれば、背景となる親水性部分に対して表示対象を描いた撥水性部分が顕著に浮かび上がり、より一層、その親水性の有無によって水滴付着箇所がくっきりと見えるようになり、その効果は非常に大きくなる。撥水性コーティング剤としては、一例として、フルオロアルキル基を有する化合物（例えば、ポリテトラフルオロエチレンなど）を用いることができる。なお、基材１０としてアクリル板などの撥水性を有する透明基材を用いても、同様の効果が得られる。
【００２６】
次に、例えば、宣伝広告媒体となる基材１０として塗装鋼板などを用い、この塗装鋼板上に、宣伝広告を目的とした表示対象１２である図や文字（図２では、一例として、「川崎重工」の文字及びそのシンボルマーク）を描く場合、上述したような親水性コーティング剤を表示対象１２以外の背景部分１４に塗布する。なお、上記のように、表面処理により基材上を親水化させてもよい。
表示対象１２である図や文字の部分以外の背景部分１４に無色透明の親水性コーティング剤を塗布すると、この部材を汚れやすい屋外などで使用するにつれて、濡れ性のよい背景部分１４には雨筋汚れなどの汚れが付着しにくく、濡れ性の悪い図や文字の表示対象１２の部分にはそのような汚れが付着していくため、汚れの付着度合の差により、基材１０上に宣伝広告を目的とした表示対象１２を浮かび上がらせることができる。もちろん、水滴付着の有無によっても表示対象１２を浮かび上がらせることができる。
【００２７】
また、表示対象１２である図や文字等を上述したような撥水性コーティング剤で描くように塗布すれば、撥水性の表示対象１２が特に汚れやすくなるため、その汚れ付着度合の違いがより一層明白になり、親水性の背景部分１４に対して表示対象１２を描いた撥水性部分が顕著に浮かび上がり、その効果は非常に大きくなる。なお、基材１０として、塗装鋼板等の基材に撥水性のフッ素系塗料などを塗布したものを用いても、同様の効果が得られる。
また、以上説明した実施の形態では、宣伝広告を目的とした表示対象について説明しているが、表示対象は、宣伝広告を目的とするものに限定されず、あらゆる目的で表示を行う場合を対象とすることができる。
【００２８】
【発明の効果】
本発明は上記のように構成されているので、つぎのような効果を奏する。
（１）　基材上に親水性コーティング剤で文字や図形などの表示対象を描くように塗布することによって、基材上に親水機能を有する部分と有しない部分を作成し、その親水機能の有無により宣伝広告などの表示を行わせることができる。
（２）　特に防汚機能を有する親水性コーティング剤を用いることで、基材上に汚れの付着しにくい表示部分と汚れの付着しやすい背景部分ができ、その防汚機能の差により表示対象を顕著に浮かび上がらせ、宣伝広告などの表示を行わせることができる。
（３）　基材として撥水性を有する基材を用いる場合は、背景となる撥水性部分と表示対象を描いた親水性部分の水滴付着の有無や汚れ付着度合の違いがより一層明白になり、背景部分に対して表示対象がより顕著に浮かび上がり、その効果は非常に大きくなる。
（４）　親水性コーティング剤を使用する箇所を、表示対象である図や文字等ではなく、逆に背景部分となる基材としても、水滴付着箇所や汚れ付着度合が表示対象と基材とで逆になるだけで、表示手段としては同様の効果が得られる。
【図面の簡単な説明】
【図１】本発明の親水機能を利用した表示部材の一例である宣伝広告部材を示す模式図である。
【図２】本発明の親水機能を利用した表示部材の他の例である宣伝広告部材を示す模式図である。
【符号の説明】
１０　基材
１２　表示対象
１４　背景部分
【図１】
2004109458.tif 000003
【図２】
2004109458.tif 000004